(57)【特許請求の範囲】
【請求項１】
硬貨または紙幣のいずれかを収納する収納部と、
前記収納部に収納された前記硬貨または紙幣のいずれかが直接的または間接的に取り出される状態であることを検知する検知部と、
前記検知部が前記硬貨または紙幣のいずれかが直接的または間接的に取り出される状態であることを検知したことを判断する検知判断手段と、
前記検知判断手段が前記検知部が前記硬貨または紙幣のいずれかが直接的または間接的に取り出される状態であることを検知したことを判断した場合に、当該状態が適正とは認められない条件を満たしているかを判断する特定条件判断手段と、
前記特定条件判断手段が前記特定の条件を満たしていると判断した場合に、不正な処理を示す情報を出力する不正情報出力手段と、
を備えた金銭収納装置。
【請求項２】
前記状態が適正とは認められない条件は、装置にエラーが発生していないことである、
請求項１に記載の金銭収納装置。
【請求項３】
前記状態が適正とは認められない条件は、装置の不正管理が有効に設定されていることである、
請求項１または２に記載の金銭収納装置。
【請求項４】
前記状態が適正とは認められない条件は、装置を駆動するメイン電源がオフされていることである、
請求項１ないし３のいずれかに記載の金銭収納装置。
【請求項５】
受信部および金銭を回収する回収カセットを備え、前記状態が適正とは認められない条件は、前記回収カセットの回収を指示する回収コマンドを前記受信部が受信していないことである、
請求項１ないし４のいずれかに記載の金銭収納装置。
【請求項６】
硬貨または紙幣のいずれかを収納する収納部と、前記収納部に収納された前記硬貨または紙幣のいずれかが直接的または間接的取り出される状態であることを検知する検知部と、を備えたコンピュータを、
前記検知部が前記硬貨または紙幣のいずれかが直接的または間接的に取り出される状態であることを検知したことを判断する検知判断手段と、
前記検知判断手段が前記検知部が前記硬貨または紙幣のいずれかが直接的または間接的に取り出される状態であることを検知したことを判断した場合に、当該状態が適正とは認められない条件を満たしているかを判断する特定条件判断手段と、
前記特定条件判断手段が前記特定の条件を満たしていると判断した場合に、不正な処理を示す情報を出力する不正情報出力手段と、
して機能させるプログラム。
【発明の詳細な説明】
【技術分野】
【０００１】
本発明の実施の形態は、金銭収納装置およびプログラムに関する。
【背景技術】
【０００２】
ＰＯＳ（Point  of  Sales）端末やＥＣＲ（Electric  Cash  Resister）に代表される商品販売データ処理装置は、例えば商品に付されたバーコードを読み取って商品情報を取得し、この商品情報に基づいて商品情報のデータ処理を実行して、締め処理に基づいてプリンタでレシート用紙に商品情報や合計金額等を印字してレシートとして発行するものである。
【０００３】
一方、商品販売データ処理装置に接続され、外部から投入された硬貨を収納し、収納した硬貨を商品データ処理装置から送付された釣銭データに基づいて払い出す硬貨入出金装置や、外部から投入された紙幣を収納し、収納した紙幣を釣銭データに基づいて払い出す紙幣入出金装置が存在する。硬貨と紙幣を総称して金銭という。
【発明の概要】
【発明が解決しようとする課題】
【０００４】
この金銭入出金装置は、金銭収納部に多くの貨幣を収納しているため、防犯の観点から、むやみに内部ユニットや金銭収納部等の装置内部を開放しないようにしている。このようなことから、金銭が収納されている装置内部を開放している場合は、何らかの不正が行われている可能性があるが、一方で金銭の詰まり等が発生した場合には、やむ無く装置内部を開放することもあり、不正による開放との区別がつきにくい。
【課題を解決するための手段】
【０００５】
本実施の形態の金銭収納装置は、硬貨または紙幣のいずれかを収納する収納部と、前記収納部に収納された前記硬貨または紙幣のいずれかが直接的または間接的に取り出される状態であることを検知する検知部と、前記検知部が前記硬貨または紙幣のいずれかが直接的または間接的に取り出される状態であることを検知したことを判断する検知判断手段と、前記検知判断手段が前記検知部が前記硬貨または紙幣のいずれかが直接的または間接的に取り出される状態であることを検知したことを判断した場合に、当該状態が適正とは認められない条件を満たしているかを判断する特定条件判断手段と、前記特定条件判断手段が前記特定の条件を満たしていると判断した場合に、不正な処理を示す情報を出力する不正情報出力手段と、を備える。
【０００６】
本実施の形態のプログラムは、硬貨または紙幣のいずれかを収納する収納部と、前記収納部に収納された前記硬貨または紙幣のいずれかが直接的または間接的取り出される状態であることを検知する検知部と、を備えたコンピュータを、前記検知部が前記硬貨または紙幣のいずれかが直接的または間接的に取り出される状態であることを検知したことを判断する検知判断手段と、前記検知判断手段が前記検知部が前記硬貨または紙幣のいずれかが直接的または間接的に取り出される状態であることを検知したことを判断した場合に、当該状態が適正とは認められない条件を満たしているかを判断する特定条件判断手段と、前記特定条件判断手段が前記特定の条件を満たしていると判断した場合に、不正な処理を示す情報を出力する不正情報出力手段と、して機能させる。
【図面の簡単な説明】
【０００７】
【図１】図１は、本実施の形態のシステム図である。
【図２】図２は、紙幣入出金装置の斜視図である。
【図３】図３は、紙幣入出金装置の概念図である。
【図４】図４は、紙幣入出金装置ブロック図である。
【図５】図５は、紙幣入出金装置のメモリマップを示す模式図である。
【図６】図６は、紙幣入出金装置の機能ブロック図である。
【図７】図７は、紙幣入出金装置のフローチャートである。
【図８】図８は、硬貨入出金装置の斜視図である。
【図９】図９は、硬貨入出金装置の概念図である。
【図１０】図１０は、硬貨入出金装置のブロック図である。
【図１１】図１１は、硬貨入出金装置のメモリマップを示す模式図である。
【図１２】図１２は、硬貨入出金装置の機能ブロック図である。
【図１３】図１３は、硬貨入出金装置のフローチャートである。
【図１４】図１４は、ＰＯＳ端末のブロック図である。
【図１５】図１５は、ＰＯＳ端末のフローチャートである。
【発明を実施するための形態】
【０００８】
以下、図１から図１５を参照して、本実施の形態に係る金銭収納装置について詳細に説明する。なお、本実施の形態では金銭収納装置の一例として硬貨入出金装置および紙幣入出金装置について説明する。以下に説明する実施の形態によりこの発明が限定されるものではない。
【０００９】
図１は、本実施の形態のシステム図である。図１において、ＳＣ（Store  Computer）１は、店舗に設置され店舗の売上を収集するとともに、本部からの指令やデータを配信する。ＳＣ１には複数台のＰＯＳ（Point  of  Sales）端末２がＬＡＮ（Local  Area  Network）回線３を介して接続されている。ＰＯＳ端末２は、店舗で販売された商品情報を収集する。ＰＯＳ端末２には、紙幣を収納し、また紙幣を払い出す紙幣入出金装置４が例えばＲＳ２３２Ｃ等の回線６を介して接続されている。紙幣入出金装置４には、硬貨を収納し、また硬貨を払い出す硬貨入出金装置５が回線６を介して接続されている。
【００１０】
図２は、本実施の形態の紙幣入出金装置４の斜視図である。図２において、紙幣入出金装置４は、内部ユニット１１と筐体１２とを有する。内部ユニット１１は、筐体１２に対してキーを操作して出し入れ可能となっており、投入された紙幣を処理する紙幣入金部１３、紙幣を払い出す紙幣払出部１４、複数のキーを有し操作を行う操作部１５、情報を表示する表示部１６等を備えている。また、内部ユニット１１には、紙幣を回収する回収カセット２５を備えている。回収カセット２５は、内部ユニット１１に対してキーを操作して着脱可能となっている。また、内部ユニット１１には、鍵スイッチ１７が設けられている。この鍵スイッチ１７を操作して紙幣入出金装置４のメイン電源をオンオフする。メイン電源がオフの状態でも、すべての電源が遮断されているわけではなく、後述する装置の管理等は実行できる。
【００１１】
図３は、紙幣入出金装置４の内部ユニット１１の構造および紙幣の流れを示す概略図である。図３において、内部ユニット１１は、投入された紙幣を内部に搬入する紙幣入金部１３、紙幣を搬送する紙幣搬送部２０、紙幣搬送部２０による搬送途中で紙幣の金種を識別する紙幣識別部２１、紙幣識別部２１によって識別された紙幣を金種別に選別する紙幣選別部２２、紙幣選別部２２で選別された紙幣を金種別に収納する紙幣収納部２３（収納部）、紙幣収納部２３に収納されている紙幣を外部に払い出す紙幣払出部１４、紙幣を回収する回収カセット２５（収納部）等を備えている。
【００１２】
紙幣入金部１３は、紙幣を投入する投入口、投入された紙幣を検知する投入センサ４９、投入された紙幣を紙幣識別部２１に搬送する投入ローラ３９等で構成されている。紙幣搬送部２０は、紙幣を紙幣選別部２２や紙幣払出部１４や回収カセット２５等に搬送する搬送ローラ４０等で構成されている。紙幣識別部２１は、紙幣の金種を識別する金種識別センサ４６を備えている。金種識別センサ４６は、紙幣の金種を識別するために、紙幣の材質を検知する材質センサと紙幣の長さを検知する長さセンサと紙幣の幅を検知する幅センサとから構成されている。紙幣選別部２２は、紙幣を選別する選別シャッター３６を備えており、紙幣識別部２１からの識別情報に基づいて選別シャッター３６を切り換えて紙幣収納部２３に紙幣を搬送する。紙幣収納部２３は、紙幣選別部２２で選別された紙幣を金種別に収納する。紙幣収納部２３は、収納部内部を開閉する蓋体２４を備えている。蓋体２４は鍵を操作することで紙幣収納部２３に対して開閉可能となっている。蓋体２４を開放させて紙幣収納部２３内で紙幣詰まりをおこしている紙幣を除去する。回収カセット２５は、鍵を操作することで内部ユニット１１に対して着脱可能となっている。回収カセット２５には、１万円札や紙幣収納部２３に収納しきれずにオーバーフローした紙幣や、回収指令に基づいて紙幣収納部２３に収納されている紙幣を収納する。
【００１３】
図４は、本実施の形態の紙幣入出金装置４のハードウェア構成を説明するブロック図である。図４において、制御主体となるＣＰＵ（Central  Processing  Unit）３１、各種プログラムを記憶するＲＯＭ（Read  Only  Memory）３２、記憶部に相当し各種データを展開するＲＡＭ（Random  Access  Memory）３３、各種プログラムおよびデータを記憶するフラッシュメモリ等からなるメモリ部３４等を備えている。ＣＰＵ３１、ＲＯＭ３２、ＲＡＭ３３、メモリ部３４は、互いにデータバス３５を介して接続されている。ＣＰＵ３１とＲＯＭ３２とＲＡＭ３３とメモリ部３４が制御部２００を構成する。すなわち、制御部２００は、ＣＰＵ３１がＲＯＭ３２またはメモリ部３４に記憶されＲＡＭ３３に展開したプログラムや情報に従って動作することによって、後述する制御処理を実行する。
【００１４】
また、データバス３５には、操作部１５、表示部１６が、それぞれ操作部コントローラ５２、表示コントローラ５４を介して接続されている。またデータバス３５には、シャッターコントローラ３８を介して、選別シャッター３６、回収カセットシャッター３７が接続されている。また、データバス３５には、ローラコントローラ４３を介して、投入ローラ３９、搬送ローラ４０、払出ローラ４１、回収ローラ４２が接続されている。投入ローラ３９は、紙幣入金部１３に設けられ、投入された紙幣を内部に搬入する。搬送ローラ４０は紙幣搬送部２０に設けられ、搬入された紙幣を紙幣識別部２１や回収カセット２５や紙幣払出部１４等に搬送する。払出ローラ４１は、紙幣払出部１４に設けられ、紙幣搬送部２０で搬送された払い出す紙幣を外部に払い出す。回収ローラ４２は、回収カセット２５の入り口付近に設けられ、紙幣搬送部２０で搬送された回収する紙幣を回収カセット２５に向けて搬送する。搬送された紙幣は、回収カセットシャッター３７を駆動させて回収カセット２５に収納する。
【００１５】
また、データバス３５には、センサＩ／Ｆ５０を介して、投入センサ４９、計数センサ４８、払出計数センサ４７、金種識別センサ４６、回収カセットセンサ４５（検知部）、内部ユニット開放センサ４４（検知部）、紙幣収納部蓋体開放センサ５９（検知部）が接続されている。投入センサ４９は、紙幣入金部１３に設けられ、投入された紙幣を検知する。計数センサ４８は、紙幣収納部２３に設けられ、紙幣収納部２３に収納される紙幣を金種別に検知する。払出計数センサ４７は、紙幣収納部２３に設けられ、紙幣収納部２３から払い出される紙幣を金種別に検知する。金種識別センサ４６は、紙幣識別部２１に設けられ、搬送される紙幣の金種を識別する。回収カセットセンサ４５は、内部ユニット１１に設けられ、回収カセット２５が内部ユニット１１に装着されていること、および内部ユニット１１から取り外されたことを検知する。内部ユニット開放センサ４４は、紙幣入出金装置４において、内部ユニット１１が筐体１２に収納されていること、および筐体１２から引き出されて開放されていることを検知する。紙幣収納部蓋体開放センサ５９は、紙幣収納部２３に設けられ、蓋体２４が紙幣収納部２３に対して開放されていること、また閉止されていることを検知する。
また、データバス３５には、通信Ｉ／Ｆ５５が接続されており、この通信Ｉ／Ｆ５５を介してＰＯＳ端末２や硬貨入出金装置５と情報を送受信する。
【００１６】
図５は、ＲＡＭ３３のメモリマップを示し、不正フラグを記憶する不正フラグ記憶エリア５６、不正情報を記憶する不正情報記憶エリア５７、回収フラグを記憶する回収フラグ記憶エリア５８を備えている。
【００１７】
図６は、紙幣入出金装置４の機能ブロック図である。図６において、制御部２００がＲＯＭ３２またはメモリ部３４に記憶された各種プログラムに従うことで、検知判断手段２０１、特定条件判断手段２０２、不正情報出力手段２０３を機能させる。
【００１８】
検知判断手段２０１は、蓋体検知部が蓋体２４が開放されたことを検知したことを判断し、または筐体検知部が内部ユニット１１が前記筐体１２から引き出されたことを検知したことを判断する機能を備えている。特定条件判断手段２０２は、検知部が蓋体検知部が蓋体が開放されたことを検知したことを判断した場合、または筐体検知部が内部ユニット１１が筐体１２から引き出されたことを検知したことを判断した場合に、当該判断に関連した特定の条件を満たしているかを判断する機能を備えている。不正情報出力手段２０３は、特定条件判断手段２０２が特定の条件を満たしていると判断した場合に、不正使用を示す情報を出力する機能を備えている。回収カセット検知判断手段２０４は、回収カセット検知部が回収カセットが取り外されたことを検知したかを判断する機能を備えている。回収情報設定判断手段２０５は、回収カセット検知判断手段２０４が回収カセット２５が取り外されたことを検知したことを判断た場合に、回収カセット２５の回収情報が設定されているかを判断する機能を備えている。カセット不正情報出力手段２０６は、回収情報設定判断手段２０５が回収カセット２５の回収情報が設定されていると判断した場合に、回収カセット２５の不正取り外しを示す情報を出力する機能を備えている。
【００１９】
図７は、紙幣入出金装置４の処理を示すフローチャートである。図７において、制御部２００は、通信Ｉ／Ｆ５５がコマンドかデータを受信したかを判断する（ステップＳＰ１１）。そして制御部２００は、いずれかのセンサがオンしたかを判断する（ステップＳＰ１２）。コマンドかデータを受信したと判断した場合は（ステップＳＰ１１のＹｅｓ）、次に制御部２００は、受信したコマンドが不正管理有効コマンドであるを判断する（ステップＳＰ１３）。この不正管理有効コマンドは、紙幣入出金装置４の不正使用の管理を実行させるためのコマンドであり、ＰＯＳ端末２から送信される。受信したコマンドが不正管理有効コマンドである場合は（ステップＳＰ１３のＹｅｓ）、制御部２００は、不正使用の管理が有効であるとして、ＲＡＭ３３の不正フラグ記憶エリア５６の不正フラグを１にセットして（ステップＳＰ１４）処理を終了する。また、不正管理有効コマンドを受信していないと判断した場合は（ステップＳＰ１３のＮｏ）、制御部２００は紙幣入出金装置４の操作部１５から不正管理を有効にするキー（図示せず）が操作されたかを判断する（ステップＳＰ１５）。不正管理有効のキーが操作されたことを判断した場合は（ステップＳＰ１５のＹｅｓ）、同様に不正フラグ記憶エリア５６の不正フラグを１にセットして（ステップＳＰ１４）処理を終了する。
【００２０】
不正使用管理キーが操作されていないと判断した場合は（ステップＳＰ１５のＮｏ）、制御部２００は、通信Ｉ／Ｆ５５に不正管理無効コマンドを受信しているかを判断する（ステップＳＰ１６）。この不正管理無効コマンドは、紙幣入出金装置４の不正使用の管理の実行を終了させるためのコマンドであり、ＰＯＳ端末２から送信される。不正管理無効コマンドを受信していると判断した場合は（ステップＳＰ１６のＹｅｓ）、制御部２００は、ＲＡＭ３３の不正フラグ記憶エリア５６の不正フラグを０にセットして（ステップＳＰ１７）処理を終了する。
【００２１】
不正管理無効コマンドを受信していないと判断した場合は（ステップＳＰ１６のＮｏ）、制御部２００は次に、通信Ｉ／Ｆ５５に釣銭データを受信したかを判断する（ステップＳＰ１８）。釣銭データを受信したと判断した場合（ステップＳＰ１８のＹｅｓ）、制御部２００は、釣銭データに応じた金額の紙幣を搬送ローラ４０と払出ローラ４１を駆動して搬送する（ステップＳＰ１９）。そして払出計数センサ４７からの出力に基づき制御部２００が釣銭データに応じた額の紙幣を払い出したかを判断する（ステップＳＰ２１）。払い出すまで待機し（ステップＳＰ２１のＮｏ）、払い出したと判断した場合は（ステップＳＰ２１のＹｅｓ）、制御部２００は、搬送ローラ４０と払出ローラ４１の駆動を停止する（ステップＳＰ２２）。また、制御部２００は、釣銭データを受信していないと判断した場合は（ステップＳＰ１８のＮｏ）、制御部２００は、通信Ｉ／Ｆ５５に回収コマンドを受信したかを判断する（ステップＳＰ２３）。この回収コマンドは、回収カセット２５の回収指令であり、ＰＯＳ端末２から送信される。回収コマンドを受信したと判断した場合は（ステップＳＰ２３のＹｅｓ）、ＲＡＭ３３の回収フラグ記憶エリア５８の回収フラグを１にセットし（ステップＳＰ２４）、回収コマンドでないと判断した場合は（ステップＳＰ２３のＮｏ）、そのまま処理を終了する。
【００２２】
制御部２００は、通信Ｉ／Ｆ５５にコマンドやデータを受信していないと判断した場合は（ステップＳＰ１１のＮｏ）、制御部２００は、各種センサのいずれかがオンしているかを判断する（ステップＳＰ１２）。いずれかのセンサがオンしていると判断した場合は（ステップＳＰ１２のＹｅｓ）、制御部２００は、オンしているセンサが投入センサ４９であるか（ステップＳＰ２５）、内部ユニット開放センサ４４であるか（ステップＳＰ３０）、紙幣収納部蓋体開放センサ５９であるか（ステップＳＰ４０）、回収カセットセンサ４５であるか（ステップＳＰ４３）を判断する。
【００２３】
投入センサ４９がオンしていると判断した場合は（ステップＳＰ２５のＹｅｓ）、制御部２００は、投入ローラ３９と搬送ローラ４０とを駆動させて紙幣を搬送する（ステップＳＰ２６）。そして制御部２００は、搬送途中の紙幣識別部２１で、正紙幣であるか、および正紙幣である場合はその金種を識別する（ステップＳＰ２７）。正紙幣であると判断した場合は（ステップＳＰ２７のＹｅｓ）、制御部２００は、紙幣選別部２２において識別された金種別に紙幣を識別し、識別された金種別に紙幣収納部２３に収納する（ステップＳＰ２８）。また贋紙幣であると判断した場合は（ステップＳＰ２７のＮｏ）、制御部２００は、リジェクトシャッター７８を駆動して贋紙幣を正紙幣と区分けする（ステップＳＰ２９）。
【００２４】
投入センサ４９ではなく内部ユニット開放センサ４４がオンしていると判断した場合は（ステップＳＰ２５のＮｏ、ステップＳＰ３０のＹｅｓ）、次に制御部２００は、紙幣の搬入エラーか搬送エラーであるかを判断する（ステップＳＰ３１）。この判断は、紙幣の搬入、搬送経路に設けられて図示しない複数のセンサーが紙幣の詰まりを検知した場合に制御部２００が行う。紙幣の搬入エラーか搬送エラーであることを判断した場合は（ステップＳＰ３１のＹｅｓ）、そのまま処理を終了する。
【００２５】
制御部２００は、紙幣の搬入エラーか搬送エラーではないと判断した場合は（ステップＳＰ３１のＮｏ）、同様に制御部２００は払出エラーかを判断する（ステップＳＰ３２）。このエラーも紙幣の搬送経路に設けられたセンサによって払い出し過程における紙幣の詰まりを検知し、制御部２００がエラーであるかを判断する。そして払出エラーであると判断した場合は（ステップＳＰ３２のＹｅｓ）そのまま処理を終了する。払出エラーでないと判断した場合は（ステップＳＰ３２のＮｏ）、次に制御部２００は、鍵スイッチ１７によってメイン電源がオンされているかを判断する（ステップＳＰ３４）。メイン電源がオンされていると判断した場合は（ステップＳＰ３４のＹｅｓ）そのまま処理を終了し、オンされていないと判断した場合は（ステップＳＰ３４のＮｏ）、制御部２００は次に不正フラグ記憶エリア５６に記憶されている不正フラグが１であるか０であるかを判断する（ステップＳＰ３５）。不正フラグが０にセットされていると判断した場合は（ステップＳＰ３５のＮｏ）そのまま処理を終了する。不正フラグが１にセットされていると判断した場合は（ステップＳＰ３５のＹｅｓ）、制御部２００は、紙幣入出金装置４が不正に使用されている可能性がある旨の不正管理アラームを表示部１６に表示し（ステップＳＰ３６）、不正使用である音声を出力し（ステップＳＰ３７）、不正使用である旨の情報を通信Ｉ／Ｆ５５を介して回線６からＰＯＳ端末２に送信し（ステップＳＰ３８）、ＲＡＭ３３の不正情報記憶エリア５７に不正情報を記憶する。
【００２６】
内部ユニット開放センサ４４がオンしている場合、内部ユニット１１が筐体１２から開放されていることを示す。そして、装置において搬入・搬送・払出エラーが発生している場合や、メイン電源がオンしている場合は、内部ユニット１１を開放することはあり得るが、搬入・搬送・払出エラーが発生していない場合や、メイン電源がオフしている場合は、通常内部ユニット１１は開放されることはない。そのため、内部ユニット１１が筐体１２から開放されている場合、搬入・搬送・払出エラーが発生していないこと、メイン電源がオフしていること、更に不正管理有効コマンドを受信していることを条件として、これらの条件が満たされれば、上記のような不正使用の処理を実行する。不正使用の情報として、例えば、日時、場所、紙幣入出金装置４の装置番号、担当者、不正の状況等であり、同時に「内部ユニットが不正に引き出された可能性があります。調査をしてください。」等のメッセージを送付してもよい。
【００２７】
内部ユニット開放センサ４４ではなく紙幣収納部蓋体開放センサ５９がオンしていると判断した場合は（ステップＳＰ３０のＮｏ、ステップＳＰ４０のＹｅｓ）、制御部２００は、ステップＳＰ３１〜ステップＳＰ３９の処理を実行する。紙幣収納部蓋体開放センサ５９がオンしていることは、紙幣収納部２３の蓋体２４が開放されていることを示すが、この場合も、搬入・搬送・払出エラーが発生していないこと、メイン電源がオフしていること、更に不正管理有効コマンドを受信していることを条件として、上記のような紙幣収納部２３の蓋体２４の開放に関する不正使用の処理を実行する。不正使用の情報として、例えば、日時、場所、紙幣入出金装置４の装置番号、担当者、不正の状況等であり、同時に「紙幣収納部の蓋が開放されています。不正に開放された可能性がありますので調査をしてください。」等のメッセージを送付する。 
【００２８】
また、紙幣収納部蓋体開放センサ５９ではなく回収カセットセンサ４５がオンしていると判断した場合は（ステップＳＰ４０のＮｏ、ステップＳＰ４３のＹｅｓ）、制御部２００は、回収フラグ記憶エリア５８の回収フラグが１にセットされているかを判断する（ステップＳＰ４４）。１にセットされていると判断した場合は（ステップＳＰ４４のＹｅｓ）、制御部２００はステップＳＰ３５〜ステップＳＰ３９を実行し、０にセットされていると判断した場合はそのまま処理を終了する。
回収カセットセンサ４５がオンしていることは回収カセット２５が内部ユニット１１から離脱されたことを示すが、この場合、回収コマンドを受信していることとメイン電源がオンされていることと不正管理有効コマンドを受信していることを条件として、回収カセット２５の回収に関する不正処理を実行する。不正使用の情報として、例えば、日時、場所、紙幣入出金装置４の装置番号、担当者、不正の状況等であり、同時に「回収カセットが不正に取り外された可能性があります。調査をしてください。」等のメッセージを送付する。
【００２９】
図８は、本実施の形態の硬貨入出金装置５の斜視図である。図８において、硬貨入出金装置５は、内部ユニット６１を筐体６２とを有する。内部ユニット６１は、筐体６２に対してキーを操作して出し入れ可能となっており、投入された硬貨を搬入する硬貨入金部６３、硬貨を払い出す硬貨払出部６８、払出された硬貨を受ける受皿６９、複数のキーを有し操作を行う操作部９２、情報を表示する表示部９７、等を備えている。また、内部ユニット６１には、鍵スイッチ７０が設けられている。この鍵スイッチ７０を操作して硬貨入出金装置５のメイン電源をオンオフする。
【００３０】
図９は、硬貨入出金装置５の内部ユニット６１の構造および硬貨の流れを示す概略図である。図９において、内部ユニット６１は、投入された硬貨を内部に搬送する硬貨入金部６３、硬貨を搬送する硬貨搬送部６４、硬貨搬送部６４による搬送途中で硬貨の金種を識別する硬貨識別部９７、硬貨識別部９７によって識別された硬貨を金種別に選別する硬貨選別部６５、硬貨選別部６５で選別された硬貨を金種別に収納する硬貨収納部６６（収納部）、硬貨収納部６６に収納されている硬貨を外部に払い出す硬貨払出部６８等を備えている。
【００３１】
硬貨入金部６３は、硬貨を投入する投入口、投入された硬貨を検知する投入センサ９０、投入された硬貨を硬貨識別部９７に搬送する投入ベルト８０等で構成されている。硬貨搬送部６４は、硬貨を硬貨選別部６５に搬送する搬送ベルト８１等で構成されている。硬貨識別部９７は、硬貨の金種を識別する金種識別センサ８７を備えている。金種識別センサ８７は、硬貨の金種を識別するために、硬貨の材質を検知する材質センサと硬貨の厚さを検知する厚さセンサと硬貨の直径を検知する直径センサから構成されている。硬貨選別部６５は、硬貨を金種別に選別する選別孔を備えている。硬貨収納部６６は、硬貨収納部６６を開閉する蓋体６７を備えている。蓋体６７は鍵を操作することで硬貨収納部６６に対して開閉可能となっている。蓋体６７を開放させて硬貨収納部６６内で硬貨詰まりをおこしている硬貨を除去する。
【００３２】
図１０は、本実施の形態の硬貨入出金装置５のハードウェア構成を説明するブロック図である。図１０において、制御主体となるＣＰＵ（Central  Processing  Unit）７１、各種プログラムを記憶するＲＯＭ（Read  Only  Memory）７２、記憶部に相当し各種データを展開するＲＡＭ（Random  Access  Memory）７３、各種プログラムおよびデータを記憶するフラッシュメモリ等からなるメモリ部７４等を備えている。ＣＰＵ７１、ＲＯＭ７２、ＲＡＭ７３、メモリ部７４は、互いにデータバス７５を介して接続されている。ＣＰＵ７１とＲＯＭ７２とＲＡＭ７３とメモリ部７４が制御部３００を構成する。すなわち、制御部３００は、ＣＰＵ７１がＲＯＭ７２またはメモリ部７４に記憶されＲＡＭ７３に展開したプログラムや情報に従って動作することによって、後述する制御処理を実行する。
【００３３】
また、データバス７５には、操作部９２、表示部９４が、それぞれ操作部コントローラ９３、表示コントローラ９５を介して接続されている。またデータバス７５には、シャッターコントローラ７９を介して、払出シャッター７７、リジェクトシャッター７８が接続されている。また、またデータバス７５には、ベルトコントローラ８３を介して、投入ベルト８０、搬送ベルト８１、払出ベルト８２が接続されている。投入ベルト８０は、硬貨入金部６３に設けられ、投入された硬貨を内部に搬入する。搬送ベルト８１は硬貨搬送部６４に設けられ、搬入された硬貨を硬貨識別部９７に搬送する。払出ベルト８２は、硬貨収納部６６に設けられ、硬貨搬送部６４に収納された硬貨を外部に払い出す。
【００３４】
また、データバス７５には、センサＩ／Ｆ９１を介して、投入センサ９０、計数センサ８９、払出計数センサ８８、金種識別センサ８７、内部ユニット開放センサ８６、硬貨収納部蓋体開放センサ８５が接続されている。投入センサ９０は、硬貨入金部６３に設けられ、投入された硬貨を検知する。計数センサ４８は、硬貨収納部６６に設けられ、硬貨収納部６６に収納される硬貨を金種別に検知する。払出計数センサ８８は、硬貨払出部６８に設けられ、硬貨収納部６６から払い出される硬貨を金種別に検知する。金種識別センサ８７は、硬貨識別部９７に設けられ、搬送される硬貨の金種を識別する。内部ユニット開放センサ８６は、硬貨入出金装置５において、内部ユニット６１が筐体６２に収納されていること、および筐体６２から引き出されて開放されていることを検知する。硬貨収納部蓋体開放センサ８５は、硬貨収納部６６に設けられ、蓋体６７が硬貨収納部６６に対して開放されていること、また閉止されていることを検知する。
また、データバス７５には、通信Ｉ／Ｆ９６が接続されており、この通信Ｉ／Ｆ９６を介して紙幣入出金装置４と情報を送受信する。
【００３５】
図１１は、ＲＡＭ７３のメモリマップであり、不正フラグ記憶エリア９８と不正情報記憶エリア９９を備えている。
【００３６】
図１２は、硬貨入出金装置５の機能ブロック図である。図１１において、制御部３００がＲＯＭ７２またはメモリ部７４に記憶された各種プログラムに従うことで、検知判断手段３０１、特定条件判断手段３０２、不正情報出力手段３０３を機能させる。
【００３７】
検知判断手段３０１は、蓋体検知部が蓋体６７が開放されたことを検知したことを判断し、または筐体検知部が内部ユニット６１が筐体６２から引き出されたことを検知したことを判断する機能を備えている。特定条件判断手段３０２は、検知手段が蓋体検知部が蓋体が開放されたことを検知したことを判断た場合、または筐体検知部が内部ユニット６１が筐体６２から引き出されたことを検知したことを判断した場合に、当該判断に関連した特定の条件を満たしているかを判断する機能を備えている。不正情報出力手段３０３は、特定条件判断手段３０２が特定の条件を満たしていると判断した場合に、不正使用を示す情報を出力する機能を備えている。
【００３８】
図１３は、硬貨入出金装置５の処理を示すフローチャートである。図１３において、ステップＳＰ５１〜ステップＳＰ６１の処理は、図７のステップＳＰ１１〜ステップＳＰ２２と同一の処理であり、ここでは説明を省略する。また、ステップＳＰ６２〜ステップＳＰ６６の処理は図７のステップＳＰ２５〜ステップＳＰ２８と同一の処理であり、ここでは説明を省略する。図７のステップＳＰ１１〜ステップＳＰ２２とステップＳＰ２５〜ステップＳＰ２８における紙幣の処理は、図１３のステップＳＰ５１〜ステップＳＰ６１とステップＳＰ６２〜ステップＳＰ６６では硬貨の処理である。また、図７のステップＳＰ１９とステップＳＰ２２における搬送ローラ４０と払出ローラ４１の処理は、図１３のステップＳＰ５９とステップＳＰ６１では搬送ベルト８１と払出ベルト８２の処理である。また、図７のステップＳＰ２６の投入ローラ３９と搬送ローラ４０の処理は、図１３のステップＳＰ６３では投入ベルト８０と搬送ベルト８１の処理である。
【００３９】
制御部３００が、投入センサ９０がオンではなく内部ユニット開放センサ８６がオンしたことを判断した場合は（ステップＳＰ６２のＮｏ、ステップＳＰ６７のＹｅｓ）、次に制御部３００は、硬貨の搬入エラーか搬送エラーであるかを判断する（ステップＳＰ６８）。この判断は、硬貨の搬入、搬送経路に設けられて図示しない複数のセンサが硬貨の詰まりを検知した場合に制御部３００が行う。硬貨の搬入エラーか搬送エラーであることを判断した場合は（ステップＳＰ６８のＹｅｓ）、そのまま処理を終了する。
【００４０】
制御部３００は、硬貨の搬入エラーか搬送エラーではないと判断した場合は（ステップＳＰ６８のＮｏ）、同様に制御部３００は払出エラーかを判断する（ステップＳＰ６９）。このエラーも硬貨の搬送経路に設けられたセンサによって払い出し過程における硬貨の詰まりを検知し、制御部３００がエラーであるかを判断する。そして払出エラーであると判断した場合は（ステップＳＰ６９のＹｅｓ）そのまま処理を終了する。払出エラーでないと判断した場合は（ステップＳＰ６９のＮｏ）、次に制御部３００は、鍵スイッチ７０によってメイン電源がオンされているかを判断する（ステップＳＰ７０）。メイン電源がオンされていると判断した場合は（ステップＳＰ７０のＹｅｓ）そのまま処理を終了し、オンされていないと判断した場合は（ステップＳＰ７０のＮｏ）、制御部３００は次に不正フラグ記憶エリア９８に記憶されている不正フラグが１であるか０であるかを判断する（ステップＳＰ７１）。不正フラグが０にセットされていると判断した場合は（ステップＳＰ７１のＮｏ）そのまま処理を終了する。不正フラグが１にセットされていると判断した場合は（ステップＳＰ７１のＹｅｓ）、制御部３００は、硬貨入出金装置５が不正に使用されている旨の不正管理アラームを表示部１００に表示し（ステップＳＰ７２）、不正使用である音声を出力し（ステップＳＰ７３）、不正使用である旨の情報を通信Ｉ／Ｆ９６を介して回線６から紙幣入出金装置４を経由してＰＯＳ端末２に送信し（ステップＳＰ７４）、ＲＡＭ７３の不正情報記憶エリア９９に不正情報を記憶する。
【００４１】
内部ユニット開放センサ８６がオンしている場合、内部ユニット６１が筐体６２から開放されていることを示す。そして、装置において搬入・搬送・払出エラーが発生している場合や、メイン電源がオンしている場合は、内部ユニット６１を開放することはあり得るが、搬入・搬送・払出エラーが発生していない場合や、メイン電源がオフしている場合は、通常内部ユニット６１は開放されることはない。そのため、内部ユニット６１が筐体６２から開放されている場合、搬入・搬送・払出エラーが発生していないこと、メイン電源がオフしていること、更に不正管理有効コマンドを受信していることを条件として、上記のような不正使用の処理を実行する。
【００４２】
内部ユニット開放センサ８６ではなく硬貨収納部蓋体開放センサ８５がオンしていると判断した場合は（ステップＳＰ６７のＮｏ、ステップＳＰ７６のＹｅｓ）、制御部３００は、ステップＳＰ６８〜ステップＳＰ７５の処理を実行する。硬貨収納部蓋体開放センサ８５がオンしていることは、硬貨収納部６６の蓋体６７が開放されていることを示すが、この場合も、搬入・搬送・払出エラーが発生していないこと、メイン電源がオフしていること、更に不正管理有効コマンドを受信していることを条件として、上記のような硬貨収納部６６の蓋体６７の開放に関する不正使用の処理を実行する。硬貨収納部蓋体開放センサ８５がオフしていると判断した場合は（ステップＳＰ７６のＮｏ）、そのまま処理を終了する。
【００４３】
図１４は、本実施の形態のＰＯＳ端末２のハードウェア構成を説明するブロック図である。図１４において、制御主体となるＣＰＵ（Central  Processing  Unit）１０１、各種プログラムを記憶するＲＯＭ（Read  Only  Memory）１０２、記憶部に相当し各種データを展開するＲＡＭ（Random  Access  Memory）１０３、各種プログラムおよびデータを記憶するハードディスク等からなるメモリ部１０４等を備えている。ＣＰＵ１０１、ＲＯＭ１０２、ＲＡＭ１０３、メモリ部１０４は、互いにデータバス１０５を介して接続されている。ＣＰＵ１０１とＲＯＭ１０２とＲＡＭ１０３とメモリ部１０４が制御部４００を構成する。すなわち、制御部４００は、ＣＰＵ１０１がＲＯＭ１０２またはメモリ部１０４に記憶されＲＡＭ１０３に展開したプログラムや情報に従って動作することによって、後述する制御処理を実行する。
【００４４】
また、データバス１０５には、キーボード１０６、表示器１０７が、それぞれキーボードコントローラ１１０、表示コントローラ１１１を介して接続されている。またデータバス１０５には、プリンタ１０８とバーコードリーダ１０９が、プリンタコントローラ１１２とバーコードリーダコントローラ１１３を介して接続されている。
また、データバス１０５には、ＬＡＮ回線Ｉ／Ｆ１１４を介してＬＡＮ回線３が接続されており、また通信Ｉ／Ｆ１１５を介して回線６が接続されている。ＬＡＮ回線Ｉ／Ｆ１１４には監視用のカメラが接続されており、この通信Ｉ／Ｆ１１５を介して紙幣入出金装置４と情報を送受信する。
【００４５】
図１５は、ＰＯＳ端末２の処理を示すフローチャートである。図１５において、制御部４００は、サインオンの宣言がされたかを判断する（ステップＳＰ８１）。サインオンでなければ（ステップＳＰ８１のＮｏ）処理を終了する。サインオンであると判断した場合は（ステップＳＰ８１のＹｅｓ）、制御部４００は、サインオンをしたキャッシャが正社員であるかを判断する（ステップＳＰ８２）。この判断は、サインオンしたときに入力した社員番号で正社員であるか否かを判断する。キャッシャが正社員でなければ（ステップＳＰ８２のＮｏ）、通信Ｉ／Ｆ１１５を介して紙幣入出金装置４と硬貨入出金装置５に対して、不正管理有効コマンドを送信する（ステップＳＰ８３）。キャッシャが正社員であれば（ステップＳＰ８２のＹｅｓ）、不正管理無効コマンドを送信する（ステップＳＰ８４）。キャッシャは、ＰＯＳ端末２と一緒に紙幣入出金装置４と硬貨入出金装置５を操作するため、キャッシャが正社員でない場合は、不正使用のリスクが正社員より高いとして、不正使用の管理を実行する。
【００４６】
次に制御部４００は、通信Ｉ／Ｆ１１５に商品の情報の入力があったかを判断する（ステップＳＰ８５）。この情報の入力は例えばバーコードリーダ１０９やキーボード１０６等から行われる。商品の情報が入力された場合（ステップＳＰ８６のＹｅｓ）、入力された商品のデータ処理を実行する（ステップＳＰ８７）。商品の情報の入力でない場合（ステップＳＰ８６のＮｏ）、制御部４００はキーボード１０６に配置された締めキーが操作されたかを判断する（ステップＳＰ８８）。締めキーが入力されたことが判断された場合（ステップＳＰ８８のＹｅｓ）、制御部４００は、締め処理を実行する（ステップＳＰ89）。締め処理は、データ処理された商品情報から合計金額を算出し、商品情報や合計金額等をプリンタ１０８でレシート用紙に印字してレシートを発行する。
【００４７】
制御部４００が締めキーが操作されたのではないと判断した場合（ステップＳＰ８８のＮｏ）、例えばキーボード１０６のキーを操作して点検処理または精算処理が指示された場合（ステップＳＰ９０のＹｅｓ）、ＰＯＳ端末２は点検処理や精算処理を実行してＬＡＮ回線Ｉ／Ｆ１１４を介してＳＣ１に処理データを送信する（ステップＳＰ９１）。そして、紙幣入出金装置４に装着されている回収カセット２５の回収コマンドを通信Ｉ／Ｆ１１５から送信する（ステップＳＰ９２）。
制御部４００は、情報の入力ではないと判断した場合（ステップＳＰ８５のＮｏ）、通信Ｉ／Ｆ１１５から情報を受信かを判断する（ステップＳＰ９３）。情報の受信であると判断した場合（ステップＳＰ９３のＹｅｓ）、その紙幣入出金装置４か硬貨入出金装置５から送信された不正に関する情報であるかを判断する（ステップＳＰ９４）。不正に関する情報であると判断した場合は（ステップＳＰ９４のＹｅｓ）、制御部４００は、受信した不正情報をＲＡＭ１０３に記憶し（ステップＳＰ９５）、不正情報をＳＣ１に送信し（ステップＳＰ９６）、ＰＯＳ端末２に接続されているカメラのスイッチをオンさせて、当該ＰＯＳ端末２の付近をカメラで撮影する（ステップＳＰ９７）。撮影されたカメラのデータは、ＰＯＳ端末２かＳＣ１に記憶される。不正情報が送付されたＳＣ１には、紙幣入出金装置４や硬貨入出金装置５からＰＯＳ端末２を経由して送付された不正使用に関するメッセージが表示され、これを見た監視員が調査を開始する。
【００４８】
点検または精算の指示でない場合（ステップＳＰ９０のＮｏ）や不正情報でない場合（ステップＳＰ９４のＮｏ）、他の処理を実行する（ステップＳＰ９８）。また、情報の受信でないと判断した場合（ステップＳＰ９３のＮｏ）、制御部４００は、サインオフの宣言がされたかを判断し（ステップＳＰ９９）、サインオフが宣言されたと判断した場合は（ステップＳＰ９９のＹｅｓ）、不正管理無効コマンドを紙幣入出金装置４と硬貨入出金装置５に送信して処理を終了し（ステップＳＰ１００）、サインオフの宣言でない場合はステップＳＰ８５の処理に戻る。
【００４９】
このように、本実施の形態の金銭収納装置によれば、特定の条件を満たしている場合に不正使用を示す情報を出力するようにしたため、装置内部の開放が不正に伴うものかの区別が容易に行える。
【００５０】
また、本実施の形態の金銭収納装置によれば、エラーが発生していなことを特定条件としたため、装置内部の開放が不正に伴うものかの区別が容易に行える。
【００５１】
また、本実施の形態の金銭収納装置によれば、装置の不正管理が有効に設定されていることを特定条件としたため、必要なときに不正の管理が可能となる。
【００５２】
また、本実施の形態の紙幣収納装置によれば、回収カセットの回収情報が設定されている場合に不正使用の情報を出力するようにしたため、必要なときに不正の管理が可能となる。
【００５３】
また、本実施の形態の紙幣収納装置によれば、装置の不正管理が有効に設定されていることを特定条件としたため、必要なときに不正の管理が可能となる。
【００５４】
なお、本実施の形態は、例として提示したものであり、発明の範囲を限定することは意図していない。この本実施の形態は、その他の様々な形態で実施されることが可能であり、発明の要旨を逸脱しない範囲で、種々の省略、置き換え、変更を行うことができる。この本実施の形態やその変形は、発明の範囲や要旨に含まれるとともに、特許請求の範囲に記載された発明とその均等の範囲に含まれる。
【００５５】
例えば、本実施の形態では、特定条件として、搬入・搬送エラーや払出エラーが発生していないとき、メイン電源がオフのとき、不正フラグが１のとき、回収フラグが１のときの４つの条件を例示したが、これらのうちの少なくとも一つの条件を特定条件としてもよいし、これらの条件の任意の組み合わせでもよい。
【００５６】
また、本実施の形態では、特定の条件として搬入・搬送エラーや払出エラーが発生していないときとしたが、装置に関するエラーであれば何でもよい。
【００５７】
また、本実施の形態では、金銭収納装置として、紙幣入出金装置と硬貨入出金装置として説明したが、もちろん紙幣入出金装置か硬貨入出金装置のいずれか一方だけでもよい。
【００５８】
なお、本実施の形態の金銭収納装置で実行されるプログラムは、インストール可能な形式または実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録されて提供される。
【００５９】
また、本実施の形態の金銭収納装置で実行されるプログラムを、インターネット等のネットワークに接続されたコンピュータ上に格納し、ネットワーク経由でダウンロードさせることにより提供するように構成しても良い。また、本実施の形態の金銭収納装置で実行されるプログラムをインターネット等のネットワーク経由で提供または配布するように構成しても良い。
【００６０】
また、本実施の形態の金銭収納装置で実行されるプログラムを、ＲＯＭ等に予め組み込んで提供するように構成してもよい。
【符号の説明】
【００６１】
２００  制御部
２０１  検知判断手段
２０２  特定条件判断手段
２０３  不正情報出力手段
２０４  回収カセット検知判断手段
２０５  回収情報設定判断手段
２０６  カセット不正情報出力手段
３００  制御部
３０１  検知判断手段
３０２  特定条件判断手段
３０３  不正情報出力手段
【先行技術文献】
【特許文献】
【００６２】
【特許文献１】特開２０１１−３４１４１号公報
【図１】
0005564084.tif 000002
【図２】
0005564084.tif 000003
【図３】
0005564084.tif 000004
【図４】
0005564084.tif 000005
【図５】
0005564084.tif 000006
【図６】
0005564084.tif 000007
【図７】
0005564084.tif 000008
【図８】
0005564084.tif 000009
【図９】
0005564084.tif 000010
【図１０】
0005564084.tif 000011
【図１１】
0005564084.tif 000012
【図１２】
0005564084.tif 000013
【図１３】
0005564084.tif 000014
【図１４】
0005564084.tif 000015
【図１５】
0005564084.tif 000016